(57)【要約】【課題】簡単な回路構成により、電池電圧に応じた効率的な充電動作を行うと共に、回路の動作保証を行う。【解決手段】トランジスタ１２０及び該トランジスタのベース−エミッタ間に接続される第１の抵抗１２３を備え、フライバック型コンバータの二次電流が所定電流以下に低下したか否かを検出する二次電流検出手段と、前記二次電流が所定電流以下に低下したことが検出されることにより、第１のスイッチ素子１０７を駆動して前記一次電流をオンにしてストロボ充電を開始させる一次駆動制御手段１０５とを有し、前記二次電流の前記所定電流レベルは、前記トランジスタのベース−エミッタ間の抵抗値で決定され、前記二次電流検出手段の前記第１の抵抗に第２の抵抗１２４を並列接続可能な第２のスイッチ素子１２５を具備し、該第２のスイッチ素子のオンオフ制御を行って、前記抵抗値を変更し、前記二次電流の前記所定電流レベルを切り換える。【選択図】　　　　図１
2004014329.tif 000002
【特許請求の範囲】
【請求項１】
主コンデンサと、フライバック型コンバータの一次電流をオンオフする為の第１のスイッチ素子と、トランジスタ及び該トランジスタのベース−エミッタ間に接続される第１の抵抗を備え、前記フライバック型コンバータの二次電流が所定電流以下に低下したか否かを検出する二次電流検出手段と、前記二次電流が所定電流以下に低下したことが検出されることにより、前記第１のスイッチ素子を駆動して前記一次電流をオンにしてストロボ充電を開始させる一次駆動制御手段とを有するストロボ装置において、
前記二次電流の前記所定電流レベルは、前記トランジスタのベース−エミッタ間の抵抗値で決定され、
前記二次電流検出手段の前記第１の抵抗に第２の抵抗を並列接続可能な第２のスイッチ素子を有し、該第２のスイッチ素子のオンオフ制御を行って、前記抵抗値を変更し、前記二次電流の前記所定電流レベルを切り換えることを特徴とするストロボ装置。
【請求項２】
電池電圧が所定電圧以上の場合は、前記第２のスイッチ素子をオンにして前記第１の抵抗に前記第２の抵抗を並列接続することで前記抵抗値を小さい値にして前記所定電流を大きくし、電池電圧が所定電圧未満の場合は、前記第２のスイッチ素子をオフにして前記第１の抵抗に前記第２の抵抗を並列接続せずに前記抵抗値を大きい値にして前記所定電流を小さくしたことを特徴とする請求項１に記載のストロボ装置。
【請求項３】
前記二次電流検出手段の構成要素である前記トランジスタのベースを前記主コンデンサの負極に接続し、前記トランジスタのエミッタを電源電池の負極に接続したことを特徴とする請求項１又は２に記載のストロボ装置。
【請求項４】
主コンデンサと、フライバック型コンバータの一次電流をオンオフする為の第１のスイッチ素子と、電界効果トランジスタ及び該電界効果トランジスタのゲート−ソース間に接続される第１の抵抗を備え、前記フライバック型コンバータの二次電流が所定電流以下に低下したか否かを検出する二次電流検出手段と、前記二次電流が所定電流以下に低下したことが検出されることにより、前記第１のスイッチ素子を駆動して前記一次電流をオンにしてストロボ充電を開始させる一次駆動制御手段とを有するストロボ装置において、
前記二次電流の前記所定電流レベルは、前記電界効果トランジスタのゲート−ソース間の抵抗値で決定され、
前記二次電流検出手段の前記第１の抵抗に第２の抵抗を並列接続可能な第２のスイッチ素子を有し、該第２のスイッチ素子のオンオフ制御を行って、前記抵抗値を変更し、前記二次電流の前記所定電流レベルを切り換えることを特徴とするストロボ装置。
【請求項５】
電池電圧が所定電圧以上の場合は、前記第２のスイッチ素子をオンにして前記第１の抵抗に前記第２の抵抗を並列接続することで前記抵抗値を小さな値にして前記所定電流を大きくし、電池電圧が所定電圧未満の場合は、前記第２のスイッチ素子をオフにして前記第１の抵抗に前記第２の抵抗を並列接続せずに前記抵抗値を大きくし、前記所定電流を小さくしたことを特徴とする請求項４に記載のストロボ装置。
【請求項６】
前記二次電流検出手段の構成要素である前記電界効果トランジスタのゲートを前記主コンデンサの負極に接続し、前記電界効果トランジスタのソースを電源電池の負極に接続したことを特徴とする請求項４又は５に記載のストロボ装置。
【発明の詳細な説明】
【０００１】
【発明の属する技術分野】
本発明は、カメラに搭載もしくは外付けされるストロボ装置の改良に関するものである。
【０００２】
【従来の技術】
従来、例えば特表平６−５０４１８２号公報において、一次側回路のオン時間を所定の長さにし、また二次側回路の電流レベルを所定の電流レベルに制御して動作させる、所謂連続モードの充電を行う技術が開示されている。
【０００３】
しかし、レリーズタイムラグを短くするために、二次側回路の所定の電流レベルを大きく（トランスの残留エネルギーがより多い状態）して電池電流を大きくする（図１３中、Ｖｂａｔ（連続強））と、充電末期に電池が消耗して該電池のインピーダンスが上昇するとストロボ充電中に急速に電池電圧が降下し、マイコンの動作保証電圧（図中、Ｖｂａｔ＿ｔｈ）を保証できない虞があった。
【０００４】
これを解決するために、特表平６−５０４１８２号公報においては、電池電圧に応じて二次側回路の所定電流レベルを変える技術も開示されている。図１３に示すように、充電末期には連続を弱めること（図中、Ｖｂａｔ（連続弱））で消耗電池においても、マイコンの動作保証電圧を保証可能となる。
【０００５】
【発明が解決しようとする課題】
しかしながら、上記の特表平６−５０４１８２号公報の実施例に開示されている図１４に示すような回路構成では、二次側回路に流れる電流を検出する二次電流検出回路１０１内にコンパレータ１０２を必要としていた。そのため、制御用ＩＣに該コンパレータを内蔵するか、或いは、コンパレータ素子を実装する必要があった。
【０００６】
また、二次電流検出回路１０１内に具備される電流検出を行う抵抗１０３はＧＮＤとトランス１０４間に接続され、検出電圧は図１４中のＶの位置で検出されている。従って、二次電流が流れている間に抵抗１０３で発生するＶはＧＮＤに対してマイナス電位となる。したがって、コンパレータ１０１の比較電圧Ｖｒｅｆはマイナス電位に設定する必要があり、カメラの電源としても比較電圧Ｖｒｅｆを構成するマイナス電位を持つ電源構成が必要となる。さらに、二次側回路に流れる電流の所定電流レベルを変えるためには、前記比較電圧Ｖｒｅｆを変更する必要もあり、この比較電圧Ｖｒｅｆを変更するのにマルチプレクサを必要としており、回路規模が増大するといった問題点があった。
【０００７】
（発明の目的）
本発明の目的は、簡単な回路構成により、電池電圧に応じた効率的な充電動作を行うと共に、回路の動作保証を行うことのできるストロボ装置を提供しようとするものである。
【０００８】
【課題を解決するための手段】
上記目的を達成するために、請求項１〜３に記載の発明は、主コンデンサと、フライバック型コンバータの一次電流をオンオフする為の第１のスイッチ素子と、トランジスタ及び該トランジスタのベース−エミッタ間に接続される第１の抵抗を備え、前記フライバック型コンバータの二次電流が所定電流以下に低下したか否かを検出する二次電流検出手段と、前記二次電流が所定電流以下に低下したことが検出されることにより、前記第１のスイッチ素子を駆動して前記一次電流をオンにしてストロボ充電を開始させる一次駆動制御手段とを有するストロボ装置において、前記二次電流の前記所定電流レベルは、前記トランジスタのベース−エミッタ間の抵抗値で決定され、前記二次電流検出手段の前記第１の抵抗に第２の抵抗を並列接続可能な第２のスイッチ素子を有し、該第２のスイッチ素子のオンオフ制御を行って、前記抵抗値を変更し、前記二次電流の前記所定電流レベルを切り換えるストロボ装置とするものである。
【０００９】
同じく上記目的を達成するために、請求項４〜６に記載の発明は、主コンデンサと、フライバック型コンバータの一次電流をオンオフする為の第１のスイッチ素子と、電界効果トランジスタ及び該電界効果トランジスタのゲート−ソース間に接続される第１の抵抗を備え、前記フライバック型コンバータの二次電流が所定電流以下に低下したか否かを検出する二次電流検出手段と、前記二次電流が所定電流以下に低下したことが検出されることにより、前記第１のスイッチ素子を駆動して前記一次電流をオンにしてストロボ充電を開始させる一次駆動制御手段とを有するストロボ装置において、前記二次電流の前記所定電流レベルは、前記電界効果トランジスタのゲート−ソース間の抵抗値で決定され、前記二次電流検出手段の前記第１の抵抗に第２の抵抗を並列接続可能な第２のスイッチ素子を有し、該第２のスイッチ素子のオンオフ制御を行って、前記抵抗値を変更し、前記二次電流の前記所定電流レベルを切り換えるストロボ装置とするものである。
【００１０】
上記の各構成においては、電池電圧が所定電圧以上の場合は、前記第２のスイッチ素子をオンにして前記第１の抵抗に前記第２の抵抗を並列接続することで前記抵抗値を小さい値にして前記所定電流を大きくして高速充電を可能にし、一方、電池電圧が所定電圧未満の場合は、前記第２のスイッチ素子をオフにして前記第１の抵抗に前記第２の抵抗を並列接続せずに前記抵抗値を大きい値にして前記所定電流を小さくし、ストロボ装置の回路の動作保証電圧以下に電池電圧が低下しないようにしている。
【００１１】
【発明の実施の形態】
以下、本発明を図示の実施の形態に基づいて詳細に説明する。
【００１２】
（実施の第１の形態）
図１は本発明の実施の第１の形態に係るフライバック型コンバータを具備したストロボ装置及びカメラの回路構成を示すブロック図である。
【００１３】
まず、ストロボ装置側の構成について説明する。
【００１４】
図１において、１０１は電源であるところの電池、１０１ａは電池内部抵抗、１３０は前記電池１０１と並列に接続されたコンデンサ、１５０は前記電池１０１のバッテリー状態を検出するバッテリーチェック回路である。
【００１５】
１０６はトランスであり、電池１０１の正極、一次巻線、後述のＦＥＴ１０７、電池１０１の負極のループで電流を流すことによりエネルギーをコアに蓄積し、そのエネルギーで逆起電力を発生させる。１０７はＦＥＴであり、前記トランス１０６の一次巻線の電流を駆動する。１３１は抵抗であり、前記ＦＥＴ１０７のゲートをプルダウンしている。
【００１６】
１０９は主コンデンサであり、電荷を蓄積する。１０８は高圧整流ダイオードであり、アノードは前記トランス１０６の二次巻線の巻き始めに接続され、カソードは前記主コンデンサ１０９の陽極に接続されている。１２０はトランジスタ、１２３は前記トランジスタ１２０のベース−エミッタ間に接続される抵抗である。１２４は抵抗であり、片側がトランジスタ１２０のベースに、もう片側が後述のＦＥＴ１２５のドレインに接続されている。１２５はＦＥＴであり、ドレインは前記抵抗１２４に、ソースは前記トランジスタ１２０のエミッタに、それぞれ接続されている。このＦＥＴ１２５をオンすることで、抵抗１２４を前記抵抗１２３に対して並列に接続することができる。１２２は抵抗であり、片側が前記トランジスタ１２０のドレイン及び後述の制御ＩＣ１０５の入力端子ｆに接続され、もう片側が補助電源Ｖｃｃにプルアップされている。１２６は抵抗であり、ＦＥＴ１２５のゲートをプルダウンしている。
【００１７】
前記トランジスタ１２０、抵抗１２２及び抵抗１２３により、前記トランス１０６の二次巻線に流れる二次電流が所定電流以下になったか否かを検出する二次電流検出回路を構成している。また、抵抗１２４、ＦＥＴ１２５及び抵抗１２６により、電池電圧に応じて前記二次電流の前記所定電流を切り換える為の回路を構成している。
【００１８】
１３３は抵抗である。１３６はサイリスタであり、ゲート−カソード間に抵抗１３７とコンデンサ１３８が並列に接続され、又ゲートは抵抗１３９を介して前記制御ＩＣ１０５の接続端子ｆに接続されている。１３５はトリガーコイルである。１３４はトリガーコンデンサであり、前記トリガーコイル１３５の一次側に挿入されている。
【００１９】
前記抵抗１３３、トリガーコンデンサ１３４、トリガーコイル１３５、サイリスタ１３６、抵抗１３７、コンデンサ１３８及び抵抗１３９により、公知のトリガー回路を構成している。
【００２０】
１１１は放電管であり、上記のトリガー回路よりトリガー電圧を受け、主コンデンサ１０９に蓄積された電荷により発光する。１１２は充電電圧検出装置であり、後述の制御ＩＣ１０５内のＡ／Ｄコンバータ１０５ｂに接続され、主コンデンサ１０９に蓄積された電圧を検出する。
【００２１】
次に、カメラ側の構成について説明する。
【００２２】
１０５は制御ＩＣであり、カメラの測光、測距、レンズ駆動、フィルム給送等のカメラシーケンスやストロボ装置の制御を行う。１０５ａは前記制御ＩＣ１０５内に具備されるマイコンであり、記憶手段であるＲＡＭを有し、カメラシーケンスの制御を行う。１０５ｂはＡ／Ｄコンバータであり、入力された電圧をデジタル化する。１０５ｃは一次電流駆動用の計時を行うタイマーである。
【００２３】
１０２はシャッタの駆動を行うシャッタ駆動装置、１０３は各回路ブロックに電源である制御電源を供給する定電圧回路である。１１３は測光装置であり、被写体輝度を検出する。１１４は被写体までの距離を検出する測距装置である。１１５はレンズ駆動装置であり、前記測距装置１１４からの検出結果をもとに撮影レンズの駆動を行い、フィルム面に被写体ピントを合わせる。１１６はフィルム駆動装置であり、フィルムのオートローディング、巻き上げ、巻き戻しを行う。１１７はカメラを撮影準備状態にするメインスイッチ、１１８（以下、ＳＷ１と記す）はシャッタ釦の第１ストロークでオンするスイッチであり、該スイッチＳＷ１のオンにより、カメラ内の電気回路が起動し、測光及び測距等の検出が開始される。１１９（以下、ＳＷ２と記す）はシャッタ釦のストロークでオンするスイッチであり、該スイッチＳＷ２のオンにより、撮影シーケンスが開始される。
【００２４】
次に、図２、図４及び図５のフローチャートを用いて、本発明の実施の第１の形態におけるストロボ装置内の昇圧回路を含むカメラの動作について説明する。
【００２５】
まず、図２のフローチャートにより、メインシーケンスを説明する。
【００２６】
まず、ステップＳ４０１にて、メインスイッチ１１７がオンしたか否かの検出を行う。ここで該メインスイッチ１１７のオンを検出したらステップＳ４０２へ進み、カメラの電池電圧がカメラ動作を行うのに十分な状態であるかのバッテリーチェック（ＢＣ）をバッテリーチェック回路１５０により行い、その結果をマイコン１０５ａ内のＲＡＭに記憶する。そして、次のステップＳ４０３にて、上記ステップＳ４０２にて得られたＢＣ結果から、カメラが動作可能な電池電圧であるか否かの判定を行い、動作可能な電池電圧（ＢＣＯＫ）であればステップＳ４０４へ進み、動作が不可能な電圧であったらステップＳ４０１へ戻る。
【００２７】
動作可能な電池電圧であるとしてステップＳ４０４へ進むと、被写体輝度検出を行う為に測光装置１１３を動作させ、得られた測光結果をマイコン１０５ａ内のＲＡＭに記憶する。次のステップＳ４０５では、上記ステップＳ４０４にて得られた測光結果が、撮影に際してストロボ発光を必要とする値であるか否かの判定する。ストロボ発光が不要であり、ストロボ充電を必要としない場合には、このメインシーケンスを終了する。一方、前記ステップＳ４０５にてストロボ発光が必要な輝度であることを判定した場合はステップＳ４０６へ進み、フラッシュモードにおいてストロボ充電を行う。
【００２８】
ここで、上記ステップＳ４０６でのフラッシュモードの詳細について、図５のフローチャートを用いて説明する。
【００２９】
フラッシュモードに入ると、まずステップＳ２０１にて、主コンデンサ１０９の充電電圧の検出を、図１の充電電圧検出回路１１２を介した電圧により制御ＩＣ１０５内のＡ／Ｄコンバータ１０５ｂの出力を基に行い、検出結果をマイコン１０５ａ内のＲＡＭに記憶する。そして、次のステップＳ２０２にて、上記ステップＳ２０１にて行った検出結果に基づき、充電が完了しているか否かの判定を行う。この結果、充電が完了していると判定するとステップＳ２１１へ進み、充電完了のフラグを立て、次のステップＳ２１２にて充電タイマーをストップして、充電シーケンスを終了する。
【００３０】
また、上記ステップＳ２０２にて充電が完了していないことを判定するとステップＳ２０３へ進み、バッテリーチェック（詳細は後述する）を行い、電池電圧が所定電圧以上（ＢＣ　Ｈ）の場合はステップＳ２０４へ進み、ＦＥＴ１２５をオンとし、ステップＳ２０６へ進む。一方、所定電圧未満の場合はＦＥＴ１２５をオフとして、ステップＳ２０６に進む。
【００３１】
ステップＳ２０６へ進むと充電時間を計時する充電タイマーをスタートさせ、ストロボ充電を開始する。
【００３２】
ここで、図３のタイミングチャートをもとに、ストロボ充電時の回路動作について説明する。
【００３３】
図３（ａ）は電池電圧が所定電圧よりも高く、図１のＦＥＴ１２５がオン、つまり抵抗１２４がトランジスタ１２０のベース−エミッタ間に並列に接続されている場合を示し、図３（ｂ）は電池電圧が所定電圧よりも低く、ＦＥＴ１２５がオフ、つまり抵抗１２４がトランジスタ１２０のベース−エミッタ間に並列に接続されていない場合を示している。
【００３４】
まず、図３（ａ），（ｂ）のタイミングチャートにおける各信号について説明をする。
【００３５】
図中、「一次電流」はトランス１０６の一次巻線に流れる電流を、「二次電流」はトランス１０６の二次巻線に流れる電流を、「ＦＥＴＧＡＴＥ」はＦＥＴ１０７のゲート入力信号を、「トランジスタベース−エミッタ」はトランジスタ１２０のベース−エミッタ間の電圧を、それぞれ示している。また、「二次電流ＩＣ入力信号」は、トランジスタ１２０のコレクタと抵抗１２２が接続され且つ制御ＩＣ１０５へ接続されている二次電流検出信号を示しており、「抵抗切換スイッチ」はＦＥＴ１２５がこれに相当し、該ＦＥＴ１２５のゲート信号のオンオフ信号により抵抗１２４をトランジスタ１２０のベース−エミッタ間に接続（換言すれば、抵抗１２３に抵抗１２４を並列接続）か否かを切り換える為のものである。
【００３６】
次に、図３（ａ）のタイミングチャートに示す回路動作について説明する。
【００３７】
制御ＩＣ１０５から接続端子ｂを介してＦＥＴ１０７のゲートに所定の発振信号（「ＦＥＴＧＡＴＥ」の▲１▼のタイミング）を与える。すると、該ＦＥＴ１０７の制御電極にハイレベルの信号が与えられることで、電池１０１の正極、トランス１０６の一次巻線、ＦＥＴ１０７のドレイン−ソース、電池１０１の負極のループで電流が流れる（「一次電流」の▲１▼〜▲２▼のタイミング）。この為、トランス１０６の二次巻線には誘導起電力が発生するが、この電流の極性は高圧整流用ダイオード１０８によりブロックされる極性となるため、トランス１０６からは励起電流が流れずエネルギーが該トランス１０６内のコアに蓄積される。このエネルギー蓄積（電流駆動）は、駆動開始から充電タイマーが計時した所定時間（「ＦＥＴＧＡＴＥ」の▲２▼のタイミングまで）行われる。
【００３８】
ここで所定時間まで電流駆動を行ったら、ＦＥＴ１０７のゲートをローレベルにして該ＦＥＴ１０７をオフ（「ＦＥＴＧＡＴＥ」の▲２▼のタイミング）にし、電流を遮断して非導通とする。これにより、トランス１０６の二次巻線には逆起電力が発生する。この逆起電力は二次電流として、トランス１０６より高圧整流ダイオード１０８、主コンデンサ１０９、トランジスタ１２０、抵抗１２３及び抵抗１２４のループで流れ（「二次電流」の▲２▼〜▲３▼のタイミング）、主コンデンサ１０９に電荷が蓄積される。
【００３９】
そして、この二次電流の発生により抵抗１２３及び抵抗１２４に電位差が生じる。この電位差がトランジスタ１２０のＶｂｅに達する（「トランジスタベース−エミッタ電圧」の▲２▼のタイミング）ことにより、該トランジスタ１２０はオン状態となり、Ｖｃｃで抵抗１２２によりプルアップされていた二次電流ＩＣ入力信号は、二次電流の放出開始と同時にローレベル（「二次電流ＩＣ入力信号」の▲２▼のタイミング）となる。
【００４０】
次に、トランス１０６内の蓄積されたエネルギーが放出され、トランジスタ１２０及び抵抗１２３及び抵抗１２４に流れていた二次電流が所定電流（Ｖｂｅ電圧）まで低下（「トランジスタベース−エミッタ電圧」の▲３▼のタイミング）することにより（「二次電流」の▲３▼のタイミング）、オン時にローレベルを維持していた二次電流ＩＣ入力信号が、ローレベルからハイレベルに反転する（「二次電流ＩＣ入力信号」▲３▼のタイミング）。この二次電流ＩＣ入力信号がローレベルからハイレベルに反転したことを受けて、制御ＩＣ１０５はＦＥＴ１０７のゲートに再びハイレベル信号を発生させ、前述した一次電流駆動と同様に再びＦＥＴ１０７を導通（「ＦＥＴＧＡＴＥ」の▲１▼のタイミング）してトランス１０６に所定時間、エネルギー蓄積を行う。そして所定時間経過後、ローレベル信号によりＦＥＴ１０７を非導通にする。これにより、トランス１０６から蓄積エネルギーが放出され、電荷が主コンデンサ１０９に充電される。
【００４１】
次に、図３（ｂ）のタイミングチャートに示す回路動作について説明する。
【００４２】
制御ＩＣ１０５から接続端子を介してＦＥＴ１０７のゲートに所定の発振信号（「ＦＥＴＧＡＴＥ」の▲１▼のタイミング）を与える。すると、該ＦＥＴ１０７の制御電極にハイレベルの信号が与えられることで、電池１０１の正極、トランス１０６の一次巻線、ＦＥＴ１０７のドレイン−ソース、電池１０１の負極のループで電流が流れる（「一次電流」の▲１▼〜▲２▼のタイミング）。この為、トランス１０６の二次巻線には誘導起電力が発生するが、この電流の極性は高圧整流用ダイオード１０８によりブロックされる極性となるため、トランス１０６からは励起電流が流れずエネルギーがトランス１０６内のコアに蓄積される。このエネルギー蓄積（電流駆動）は、駆動開始からタイマーが計時した所定時間（「ＦＥＴＧＡＴＥ」の▲２▼のタイミングまで）行われる。
【００４３】
ここで所定時間まで電流駆動を行ったら、ＦＥＴ１０７のゲートをローレベルにして該ＦＥＴ１０７をオフ（「ＦＥＴＧＡＴＥ」の▲２▼のタイミング）にして電流を遮断して非導通とする。これにより、トランス１０６の二次巻線には逆起電力が発生する。この逆起電力は二次電流として、トランス１０６より高圧整流ダイオード１０８、主コンデンサ１０９、トランジスタ１２０及び抵抗１２３及び抵抗１２４のループで流れ（「二次電流」の▲２▼〜▲３▼のタイミング）、主コンデンサ１０９に電荷が蓄積される。
【００４４】
そして、この二次電流の発生により、抵抗１２３に電位差が生じる。この電位差がトランジスタ１２０のＶｂｅに達する（「トランジスタベース−エミッタ電圧」の▲２▼のタイミング）ことにより、該トランジスタ１２０はオン状態となり、Ｖｃｃで抵抗１２２によりプルアップされていた二次電流ＩＣ入力信号は、二次電流の放出開始と同時にローレベル（「二次電流ＩＣ入力信号」の▲２▼のタイミング）となる。
【００４５】
次に、トランス１０６内の蓄積されたエネルギーが放出され、トランジスタ１２０及び抵抗１２３に流れていた二次電流が所定電流（Ｖｂｅ電圧）まで低下（「トランジスタベース−エミッタ電圧」の▲３▼のタイミング）することにより（「二次電流」の▲３▼のタイミング）、オン時にローレベルを維持していた二次電流ＩＣ入力信号が、ローレベルからハイレベルに反転する（「二次電流ＩＣ入力信号」の▲３▼のタイミング）。この二次電流ＩＣ入力信号がローレベルからハイレベルに反転したことを受けて、制御ＩＣ１０５はＦＥＴ１０７のゲートに再びハイレベル信号が発生させ、前述した一次電流駆動と同様に再び該ＦＥＴ１０７を導通（「ＦＥＴＧＡＴＥ」の▲１▼のタイミング）してトランス１０６に所定時間エネルギー蓄積を行う。そして所定時間経過後、ローレベル信号によりＦＥＴ１０７を非導通とする。これにより、トランス１０６から蓄積エネルギーが放出され、電荷が主コンデンサ１０９に充電される。
【００４６】
ところで、上記二次電流の所定電流についてであるが、抵抗１２３に流れる電流で発生する電圧がトランジスタ１２０のベース−エミッタ間電圧Ｖｂｅに達する電流と、Ｖｃｃにプルアップされている抵抗１２２が接続されているコレクタがローレベルになるベース電流の和である。例えば、ここでプルアップ抵抗である抵抗１２２が１ｋΩで、トランジスタ１２０のコレクタに流れる電流はＶｃｃ電圧を５Ｖと仮定した場合、
（５−Ｖｃｅ）／１０００
であるが、このときのＶｃｅ（コレクタ−エミッタ間電圧）は極めて低い電圧である。よって、
５／１０００＝５ｍＡ
程度となる。従って、ベース電流はトランジスタ１２０のｈｆｅが３０程度として、０．１７ｍＡ程度となる。このとき、一次巻線に流れる電流が３Ａ（図３の「一次電流」の▲２▼のタイミング）とすると二次電流のピークは、一次巻線と二次巻線の巻数比（Ｒｅｔｉｏ）に依存するが、例えば一次巻線「１」に対して二次巻線の巻線が「２０」の場合、１５０ｍＡ程度となる。この二次電流のピークに対して１／３程度の５０ｍＡ程度を検出する所定電流とする場合、所定電流の設定にあたっては、トランジスタ１２０のベース電流の影響は極めて小さいものであり、無視してもよく、
所定電流＝Ｖｂｅ／（ベース−エミッタ間の抵抗）
で設定できる。例えば、図３（ａ）では、所定電流を１／３程度の５０ｍＡ、図３（ｂ）では、所定電流を１／１０程度の１５ｍＡに設定する場合、Ｖｂｅを０．６Ｖとすると、図３（ａ）ではベース−エミッタ間の抵抗は１２Ω、図３（ｂ）ではベース−エミッタ間の抵抗は４０Ωになる。
【００４７】
ここで、図３（ｂ）ではＦＥＴ１２５がオフしているため、ベース−エミッタ間の抵抗は抵抗１２３のみであり、抵抗１２３は４０Ωになる。また、図３（ａ）ではＦＥＴ１２５がオンしているため、ベース−エミッタ間の抵抗は抵抗１２３と抵抗１２４（正確には抵抗１２４とＦＥＴ１２５のオン抵抗の直列抵抗）の並列抵抗で決定され、抵抗１２４は約１５Ωになる。
【００４８】
上記のように、ＦＥＴ１２５のオンオフのみで二次電流の所定電流レベルを切り換えて、充電速度を制御することができる。そのため、電池電圧が所定電圧よりも高い場合は、図３（ａ）に示すように一次電流（電池電流）を増やして（二次電流の所定電流を大きくすることで）急速に充電を行う状態にし、電池電圧が低い場合は、図３（ｂ）に示すように一次電流を減らして（二次電流の所定電流を小さくすることで）充電を行う状態に切り換えて、電池電圧が低下した場合でも、回路の動作保証を行うことが可能となる。つまり、図１３を用いて説明すると、その時の電池電圧如何に依らず、電池電圧がＶｂａｔ＿ｔｈ以下に低下することを防ぐことができることになる。
【００４９】
なお、ここでは所定電流レベルの切換スイッチとしてＦＥＴ１２５を用いたが、図６に示すように、この切換スイッチをトランジスタ１２８としてもよい。
【００５０】
また、本実施の形態の充電方式のように、トランス１０６にエネルギーが残留している場合の二次電流の検出においては、特にトランス１０６のノイズを発生させるエネルギーも当然大きくなる。よって、図９に示すように、高圧整流ダイオード１０８のアノードが電池１０１の負極に、カソードがトランス１０６の一端に、それぞれ接続されるように挿入した構成の場合、一次電流の駆動開始時にトランス１０６の一次側の浮遊容量による振動電流が二次電流を検出する二次電流検出回路の抵抗１２３（不図示）に乗ってしまっていた。このため、一次電流同時駆動時に発生する振動電流ループを高圧整流ダイオード１０８で遮断する、上記図１のような回路構成が望ましい。
【００５１】
この図９と図１の構成における各信号波形を図で示すと、図９の回路構成の場合は図８に示す信号波形になり、図１の回路構成は図７に示す信号波形になる。
【００５２】
図８の信号波形をみると、トランジスタのベース−エミッタ間の信号は、一次電流駆動開始時に発生するトランスの一次側の浮遊容量による振動電流のノイズを直接受け、ノイズがＶｂｅを超える状態になっている。その為、コレクタ信号である二次電流ＩＣ入力信号は、図８に示すように検出信号が誤検出を起こす状態に至っている。
【００５３】
これに対して、本実施の形態に係る図７の波形をみると、トランジスタ１２０のベース−エミッタ間の信号は一次電流駆動開始時に発生するトランス１０６の一次側の浮遊容量による振動電流のノイズを高圧整流ダイオード１０８でブロックすることになる。よって、ノイズはＶｂｅを超えることが無い状態になり、コレクタ信号である二次電流ＩＣ入力信号としては、図７に示すような誤動作の無い信号が得られ、回路の安定動作が出来る。
【００５４】
図５のフローチャートの説明に戻り、ステップＳ２０８へ動作が進むと、上記のステップＳ２０１と同様、制御ＩＣ１０５内のＡ／Ｄコンバータ１０５ｂの出力に基づいて充電電圧の検出を行い、その検出結果をＣＰＵ１０５内のＲＡＭに記憶する。そして、次のステップＳ２０９にて、上記ステップＳ２０８にて検出した充電電圧が充電完了の電圧に達しているかの判定を行い、達していなければステップＳ２１３へ進み、上記ステップＳ２０６にてスタートさせた充電タイマーが所定時間を計時（カウントアップ）したか否かの判定を行う。この結果、充電タイマーがカウントアップしていたらステップＳ２１４へ進み、上記の充電動作を停止し、続くステップＳ２１５にて、充電未完了のフラグを立て、次のステップＳ２１２にて、上記充電タイマーをリセットして充電シーケンスを終了する。
【００５５】
また、充電タイマーがカウントアップしていない場合はステップＳ２０７へ戻り、上記の同様の動作を繰り返し、ステップＳ２０９にて充電完了したことを判定するとステップＳ２１０へ進み、充電動作を停止して、ステップＳ２１１にて充電完了フラグを立て、次のステップＳ２１２にて、上記充電タイマーを充電シーケンスを終了するとともに、図２のメインシーケンスを終了する。
【００５６】
次に、図４を用いてレリーズシーケンスについて説明をする。
【００５７】
まず、ステップＳ１０１にて、マイコン１０５ａの初期設定を行う。そして、次のステップＳ１０２にて、各種スイッチの状態を検出し、続くステップＳ１０３にて、上記検出したスイッチ状態よりスイッチＳＷ１がオンされているか否かの検出を行う。この結果、該スイッチＳＷ１がオンしていなければステップＳ１０２へ戻るが、オンしていた場合はステップＳ１０４へ進み、上記図２のステップＳ４０２と同様にバッテリーチェックを行い、その結果をＲＡＭに記憶する。そして、次のステップＳ１０５にて、前記ＲＡＭに記憶されているバッテリーからカメラが動作可能な電圧であるか否かの判定を行い、動作可能電圧であったらステップＳ１０６へ進み、動作が不可能な電圧であったらステップＳ１０２へ戻る。
【００５８】
バッテリーが十分であるとしてステップＳ１０６へ進むと、ここでは測距装置１１４を動作させて被写体までの距離を検出し、マイコン１０５ａ内のＲＡＭにその測距結果を記憶する。続くステップＳ１０７では、測光装置１１３を動作させて被写体輝度の検出を行い、上記の測距結果と同様にマイコン１０５ａ内のＲＡＭにその結果（測光結果）を記憶する。そして、次のステップＳ１０８にて、上記ステップＳ１０７で検出して測光結果を基に（被写体輝度がストロボ発光を必要とするほどに暗いかどうかを基に）ストロボ充電が必要であるか否かの判定を行う。つまり、被写体輝度がストロボ発光を必要とするほどに暗く、かつこの際ストロボ充電が十分でなければステップＳ１０９へ進む。また、ストロボの発光が必要のない場合は直ちにステップＳ１１１へ進む。上記ストロボの発光が必要な場合としては、撮影状況が暗い、或いは逆光状態等がある。
【００５９】
ストロボ発光が必要であるとしてステップＳ１０９へ進むと、フラッシュモードに入り、前述の図５のフローチャートにて説明した充電シーケンスを行う。そして、この充電シーケンスが終了したらステップＳ１１０へ進み、ストロボ充電が完了したか否かの判定をする。この判定は、上記ステップＳ１０９の充電シーケンスにて充電がＯＫになったか否かのフラグの状態を調べるものであり、充電がＯＫ、つまり完了していたらステップＳ１１１のスイッチＳＷ２のオン待機状態へ進む。また、充電がＮＧで完了していなかったらステップ１０２へ戻り、以下同様の動作を繰り返す。
【００６０】
ステップＳ１１１のスイッチＳＷ２の待機状態へ進み、ここでスイッチＳＷ２１１９のオンを検出したらステップＳ１１２へ進み、上記ステップＳ１０６にて得られた測距結果に従い、レンズ駆動装置１１５を駆動して撮影レンズの駆動制御を行う。そして、次のステップＳ１１３にて、上記ステップＳ１０７にて得られた測光結果に従い、シャッタ駆動装置１０２を用いてシャッタの駆動制御を行う。この際、ストロボ発光が必要であったら制御ＩＣ１０５からのトリガー信号を受けるトリガー回路１１０の作動にしたがってストロボ発光が行われることになる。
【００６１】
次にステップＳ１１４にて、焦点位置にあるレンズを該レンズの初期位置に戻すレンズリセットを行う。そして、次のステップＳ１１５にて、フィルム駆動装置１１６により次の撮影駒へのフィルム給送制御を行い、続くステップＳ１１６にて、ストロボ予備充電を行うか否かの判定を行う。ここでストロボ予備充電を行わない場合としては、上記ステップＳ１０７にて行った測光結果をもとに上記ステップＳ１０８にて判定した結果がストロボ発光撮影モードで無い場合であり、この場合にはステップＳ１０２へ戻る。
【００６２】
また、ストロボ予備充電を行う場合としてはストロボ発光撮影モードであった場合であり、この場合はステップＳ１１７へ進み、上記図２のステップＳ４０６と同様のフラッシュモードを実行し、充電が終了したら一連のカメラシーケンス終了して、ステップＳ１０２のスイッチＳＷ１のオン待機状態に入る。
【００６３】
以上の実施の第１の形態によれば、主コンデンサ１０９と、フライバック型コンバータ（トランス１０６）の一次電流をオンオフする為の第１のスイッチ素子（ＦＥＴ１０７）と、トランジスタ１２０と該トランジスタ１２０のベース−エミッタ間に接続される第１の抵抗（抵抗１２３）を備え、前記フライバック型コンバータの二次電流が所定電流以下に低下したか否かを検出する二次電流検出手段と、前記二次電流が所定電流以下に低下したことが検出されることにより、前記第１のスイッチ素子を駆動して前記一次電流をオンにしてストロボ充電を開始させる一次駆動制御手段（制御ＩＣ１０５）とを有し、前記二次電流の前記所定電流レベルは、前記トランジスタ１２０のベース−エミッタ間の抵抗値で決定されるものとし、前記二次電流検出手段の前記第１の抵抗に第２の抵抗１２４を並列接続可能な第２のスイッチ素子（ＦＥＴ１２５、もしくはトランジスタ１２８）を具備し、該第２のスイッチ素子のオンオフ制御を行って、前記抵抗値を変更し、前記二次電流の前記所定電流レベルを切り換える構成にしている。
【００６４】
そして、電池電圧が所定電圧以上の場合は、前記第２のスイッチ素子をオンにして前記第１の抵抗に前記第２の抵抗を並列接続することで前記抵抗値を小さい値にして前記所定電流を大きくし、一方、電池電圧が所定電圧未満の場合は、前記第２のスイッチ素子をオフにして前記第１の抵抗に前記第２の抵抗を並列接続せずに前記抵抗値を大きい値にして前記所定電流を小さくするようにしている。
【００６５】
よって、電池電圧が所定電圧よりも高い場合は、トランジスタ１２０のベース−エミッタ間の抵抗値が小さく、二次電流の所定電流が大きくなるので、高速で充電を行うことができ、一方、電池電圧が所定電圧よりも低い場合は、トランジスタ１２０のベース−エミッタ間の抵抗値が大きく、二次電流の所定電流が小さくなるので、充電速度は遅いが、電池電圧が制御ＩＣ１０５の動作保証電圧を下回らることがないので回路動作を保証できる。つまり、抵抗を並列に接続するか否かの簡単な回路構成により、電池電圧に応じた効率的な充電動作と回路動作の保証を行うことができる。
【００６６】
詳しくは、従来は、制御用ＩＣに二次電流検出用のコンパレータを内蔵したり、コンパレータ素子を実装しなければならず、更に、該コンパレータの比較電圧Ｖｒｅｆをマイナス電位に設定したり、カメラの電源としても比較電圧Ｖｒｅｆを構成するマイナス電位を持つ電源構成したり、さらには、二次電流を所定電流レベルを変えるのに伴って前記比較電圧Ｖｒｅｆを変更する為のマルチプレクサを具備しなければならなかったが、本実施の第１の形態では、トランジスタ１２０のベース−エミッタ間の抵抗値を変更することのみで、二次電流の所定電流を変えることができるので、大幅に回路構成が簡素化される。
【００６７】
（実施の第２の形態）
図１０は本発明の実施の第２の形態に係るフライバック型コンバータを具備したストロボ装置の回路構成を示すブロック図であり、図１と同じ部分は同一符号を付し、その説明は省略する。
【００６８】
図１０において、図１の構成と異なる箇所は、図１のトランジスタ１２０に代え、ＦＥＴ１２７を配置している。したがって、抵抗１２３は前記ＦＥＴ１２７のゲート−ソース間に接続されることになる。そして、前記ＦＥＴ１２７のソースに定電圧ダイオード１４０のアノードが、ゲートにカソードが、それぞれ接続されている。
【００６９】
図２、図４、図５のシーケンスについては、上記実施の第１の形態と同様であるので、その説明は省略する。
【００７０】
次に、図１１のタイミングチャートをもとに、上記フライバック型コンバータの動作について説明する。
【００７１】
図１１（ａ）は電池電圧が所定電圧よりも高く、ＦＥＴ１２５がオン、つまり抵抗１２４がＦＥＴ１２７のゲート−ソース間に並列に接続されている場合を示し、図１１（ｂ）は電池電圧が所定電圧よりも低く、ＦＥＴ１２５がオフ、つまり抵抗１２４がＦＥＴ１２７のゲート−ソース間に並列に接続されていない場合を示している。
【００７２】
まず、図１１（ａ），（ｂ）のタイミングチャートに示した各信号について説明をする。
【００７３】
図中、「一次電流」はトランス１０６の一次巻線に流れる電流を、「二次電流」はトランス１０６の二次巻線に流れる電流を、「ＦＥＴＧＡＴＥ」はＦＥＴ１０５のゲート入力信号を、それぞれ示す。「ＦＥＴゲート電圧」はＦＥＴ１２７のゲート−ソース間電圧を示す。「二次電流ＩＣ入力信号」はＦＥＴ１２７のドレインと抵抗１２２が接続され且つ制御ＩＣ１０５へ接続されている二次電流検出信号を示す。「抵抗切換スイッチ」はＦＥＴ１２５がこれに相当し、該ＦＥＴ１２５のオンオフ信号により抵抗１２４をＦＥＴ１２７のゲート−ソース間に接続するか否かを切り換えるものである。
【００７４】
次に、図１１（ａ）のタイミングチャートに示す回路動作について説明する。
【００７５】
カメラ制御回路２００内の制御ＩＣ１０５（図１０では不図示）から接続端子ｂを介してＦＥＴ１０７のゲートに所定の発振信号（ＦＥＴＧＡＴＥの▲１▼のタイミング）を与える。これにより、ＦＥＴ１０７の制御電極のゲートにハイレベルの信号が与えられることで電池１０１の正極、トランス１０６の一次巻線、ＦＥＴ１０７のドレイン−ソース、電池１０１の負極のループで電流が流れる（一次電流の▲１▼〜▲２▼のタイミング）。この為、トランス１０６の二次巻線には誘導起電力が発生するが、この電流の極性は高圧整流ダイオード１０８によりブロックされる極性となるため、トランス１０６からは励起電流が流れずエネルギーが該トランス１０６内コアに蓄積される。このエネルギー蓄積（電流駆動）は、駆動開始からタイマーが計時した所定時間（ＦＥＴＧＡＴＥの▲２▼のタイミングまで）行われる。
【００７６】
ここで所定時間まで電流駆動を行ったら、ＦＥＴ１０７のゲートをローレベルにして該ＦＥＴ１０７をオフ（ＦＥＴＧＡＴＥの▲２▼のタイミング）にし、電流を遮断して非導通とする。これにより、トランス１０６の二次巻線には逆起電力が発生する。この逆起電力は二次電流（二次電流の▲２▼〜▲３▼のタイミング）として、トランス１０６より高圧整流ダイオード１０８、主コンデンサ１０９、抵抗１２３及び抵抗１２４のループで流れ、主コンデンサ１０９に電荷が蓄積される。
【００７７】
そして、二次電流ＩＣ入力信号は、上記二次電流の発生により抵抗１２３及び抵抗１２４に電位差が生じる。この電位差がＦＥＴ１２７のゲートが所定電圧Ｖｇｓに達した（ＦＥＴゲート電圧の▲２▼のタイミング）ことにより該ＦＥＴ１２７はオン状態となり、Ｖｃｃで抵抗１２２によりプルアップされていた二次電流ＩＣ入力信号は、二次電流の放出開始とほぼ同時にローレベル（二次電流ＩＣ入力信号の▲２▼のタイミング）となる。このとき、ＦＥＴ１２７のゲート−ソース間電圧は、該ＦＥＴ１２７のゲート−ソース間に接続された定電圧ダイオード１４０により、所定電圧Ｖｚｄより上昇しないように構成されている。
【００７８】
次に、トランス１０６内の蓄積されたエネルギーが放出され、抵抗１２３及び抵抗１２４及び定電圧ダイオード１４０に流れていた二次電流の低下により定電圧ダイオード１４０のツェナー電圧Ｖｚｄ以下となり（ＦＥＴゲート電圧の▲３▼のタイミング）、ＦＥＴ１２７のゲート−ソース間電圧は徐々に低下していく。そして、二次電流が所定電流（Ｖｇｓ電圧）まで低下（ＦＥＴゲート電圧の▲４▼のタイミング）することにより　（二次電流の▲４▼のタイミング）、オンしてローレベルを維持していた二次電流ＩＣ入力信号が、ローレベルからハイレベルに反転する（二次電流ＩＣ入力信号の▲４▼のタイミング）。
【００７９】
この二次電流ＩＣ入力信号がローレベルからハイレベルに反転したことを受けて、制御ＩＣ１０５はＦＥＴ１０７のゲートに再びハイレベル信号が発生させ、前述した一次電流駆動と同様、再びＦＥＴ１０７を導通（ＦＥＴＧＡＴＥの▲１▼のタイミング）してトランス１０６に所定時間エネルギー蓄積を行う。そして所定時間経過後、ローレベル信号によりＦＥＴ１０７非導通としてトランス１０６から蓄積エネルギーが放出され、電荷が主コンデンサ１０９に充電される。
【００８０】
次に、図１１（ｂ）のタイミングチャートに示す回路動作について説明する。
【００８１】
カメラ制御回路２００内の制御ＩＣ１０５（図１０では不図示）から接続端子を介してＦＥＴ１０７のゲートに所定の発振信号（ＦＥＴＧＡＴＥの▲１▼のタイミング）を与える。したがって、ＦＥＴ１０７の制御電極にハイレベルの信号が与えられることで電池１０１の正極、トランス１０６の一次巻線、ＦＥＴ１０７のドレイン−ソース、電池１０１の負極のループで電流が流れる（一次電流の▲１▼〜▲２▼のタイミング）。この為、トランス１０６の二次巻線には誘導起電力が発生するが、この電流の極性は高圧整流用ダイオード１０８によりブロックされる極性となるため、トランス１０６からは励起電流が流れず、エネルギーがトランス１０６内コアに蓄積される。このエネルギー蓄積（電流駆動）は、駆動開始からタイマーが計時した所定時間（ＦＥＴＧＡＴＥの▲２▼のタイミング）行われる。
【００８２】
ここで所定時間まで電流駆動を行ったら、ＦＥＴ１０７のゲートをローレベルとしてＦＥＴ１０７をオフ（ＦＥＴＧＡＴＥの▲２▼のタイミング）にして電流を遮断して非導通とする。これにより、トランス１０６の二次巻線には逆起電力が発生する。この逆起電力は二次電流（二次電流の▲２▼〜▲４▼のタイミング）として、トランス１０６より高圧整流ダイオード１０８、主コンデンサ１０９及び抵抗１２３のループで流れ、主コンデンサ１０９に電荷が蓄積される。
【００８３】
そして、この二次電流の発生により、抵抗１２３に電位差が生じる。この電位差がＦＥＴ１２７のゲートが所定電圧Ｖｇｓに達する（ＦＥＴ１２７のソース電圧の▲２▼のタイミング）ことにより、該ＦＥＴ１２３はオン状態となり、Ｖｃｃで抵抗１２２によりプルアップされていた二次電流ＩＣ入力信号は、二次電流の放出開始とほぼ同時にローレベル（二次電流ＩＣ入力信号の▲２▼のタイミング）となる。このとき、ＦＥＴ１２７のゲート−ソース間電圧は、該ＦＥＴ１２７のゲート−ソース間に接続された定電圧ダイオード１４０により、所定電圧Ｖｚｄより上昇しないように構成されている。
【００８４】
次に、トランス１０６内の蓄積されたエネルギーが放出され、抵抗１２３及び定電圧ダイオード１４０に流れていた二次電流の低下により定電圧ダイオード１４０のツェナー電圧Ｖｚｄ以下となり（ＦＥＴソース電圧の▲３▼のタイミング）、ＦＥＴ１２７のゲート−ソース間電圧は徐々に低下していく。そして、二次電流が所定電流（Ｖｇｓ電圧）まで低下（ＦＥＴゲート電圧の▲４▼のタイミング）することにより（二次電流の▲３▼のタイミング）、オン時にローレベルを維持していた二次電流ＩＣ入力信号が、ローレベルからハイレベルに反転する（二次電流ＩＣ入力信号の▲４▼のタイミング）。この二次電流ＩＣ入力信号がローレベルからハイレベルに反転したことを受けて、制御ＩＣ１０５はＦＥＴ１０７のゲートに再びハイレベル信号を発生させ、前述した一次電流駆動と同様、再びＦＥＴ１０７を導通（ＦＥＴＧＡＴＥの▲１▼のタイミング）してトランス１０６に所定時間エネルギー蓄積を行う。そして所定時間経過後、ローレベル信号によりＦＥＴ１０７を非導通としてトランス１０６から蓄積エネルギーが放出され、電荷が主コンデンサ１０９に充電される。
【００８５】
ところで、本発明の実施の第２の形態における上記二次電流の所定電流とは、抵抗１２３に流れる電流で発生する電圧が、ＦＥＴ１２７のゲート−ソース間の電圧Ｖｇｓに達する電流である。
【００８６】
例えばここで，Ｖｇｓが１．５Ｖであった場合、このとき一次巻線に流すピークで電流が３Ａとすると　（図１１（ａ），（ｂ）の一次電流の▲２▼のタイミング）、トランス１０６に流れる二次電流のピーク（図１１（ａ），（ｂ）の二次電流のの▲２▼のタイミング）は、一次巻線と二次巻線の巻数比に依存するが、例えば二次巻線の巻線が一次巻線「１」に対して「２０」の場合、１５０ｍＡ程度となる。
【００８７】
この二次電流のピークに対して１／３程度の５０ｍＡを所定電流とする場合、所定電流の設定に当たっては、「所定電流＝Ｖｇｓ／抵抗１２３」で設定できる。例えば、図１１（ａ）では、所定電流を１／３程度の５０ｍＡ、図１１（ｂ）では、所定電流を１／１０程度の１５ｍＡに設定する場合はＶｇｓを１．５Ｖとすると、図１１（ａ）ではＦＥＴ１２７のゲート−ソース間の抵抗は３０Ω、図１１（ｂ）ではゲート−ソース間の抵抗は１００Ωになる。
【００８８】
ここで、図１１（ｂ）では、ＦＥＴ１２５がオフしているため、ゲート−ソース間の抵抗は抵抗１２３のみで、抵抗１２３は１００Ωに設定する。また、図１１（ａ）ではＦＥＴ１２５がオンしているため、ゲート−ソース間の抵抗は、抵抗１２３と抵抗１２４（正確には抵抗１２４とＦＥＴ１２５のオン抵抗の直列抵抗）の並列抵抗で決定され、抵抗１２４は約５０Ωに設定する。
【００８９】
上記のように、ＦＥＴ１２５のオンオフのみで二次電流の所定電流レベルを切り換えて充電速度を制御することができる。そのため、電池電圧が高い場合は、図１１（ａ）に示すように電池電流を増やして急速に充電を行う状態にできる。一方、電池電圧が低い場合は、図１１（ｂ）に示すように電池電流を減らす状態に切り換えることで、電池が消耗した場合でも、回路の動作保証を行うことが可能となる。
【００９０】
前述の実施の第１の形態と同様に、抵抗切換スイッチはＦＥＴ１２５でなく、トランジスタを用いてもよい。
【００９１】
また、この実施の第２の形態おいて、二次電流が流れている間は、ＦＥＴ１２７のゲート電圧はＶｚｄまで上昇する。このとき、サイリスタ１３６のゲート電位もＶｚｄまで上昇する。Ｖｚｄがカメラの電源電圧よりも大きな電圧である場合、抵抗１３９を介してカメラ制御回路２００に逆流電流が流れる。そのため、Ｖｚｄがカメラの電源電圧よりも大きな電圧である場合、図１２に示すように、カメラ制御回路２００の接続端子ｆと抵抗１３９の間にダイオード１４１を挿入し、カメラ制御回路２００への逆流電流を防ぐことが望ましい。
【００９２】
また、前述の実施の第１の形態と同様に、二次電流の放電ループの接続構成を上記説明したように、トランス１０６より高圧整流ダイオード１０８、主コンデンサ１０９、抵抗１２３のループで構成している。このように二次電流の放電ループを構成することにより、ＦＥＴ１２７のゲート−ソース間の信号はトランス１０６のノイズを直接受けず、高圧整流ダイオード１０８でブロックすることになり、ノイズはＶｇｓを超えることが無い状態になる。よって、ドレイン信号である二次電流ＩＣ入力信号は誤動作の無い信号が得られ、回路の安定動作が出来る。
【００９３】
以上の実施の第２の形態によれば、主コンデンサ１０９と、フライバック型コンバータ（トランス１０６）の一次電流をオンオフする為の第１のスイッチ素子（ＦＥＴ１０７）と、ＦＥＴ１２７と該ＦＥＴ１２７のゲート−ソース間に接続される第１の抵抗（抵抗１２３）を備え、前記フライバック型コンバータの二次電流が所定電流以下に低下したか否かを検出する二次電流検出手段と、前記二次電流が所定電流以下に低下したことが検出されることにより、前記第１のスイッチ素子を駆動して前記一次電流をオンにしてストロボ充電を開始させる一次駆動制御手段（制御ＩＣ１０５）とを有し、前記二次電流の前記所定電流レベルは、前記ＦＥＴ１２７のゲート−ソース間の抵抗値で決定されるものであり、前記二次電流検出手段の前記第１の抵抗に第２の抵抗１２４を並列接続可能な第２のスイッチ素子（ＦＥＴ１２７）を具備し、該第２のスイッチ素子のオンオフ制御を行って、前記抵抗値を変更し、前記二次電流の前記所定電流レベルを切り換える構成にしている。
【００９４】
そして、電池電圧が所定電圧以上の場合は、前記第２のスイッチ素子をオンにして前記第１の抵抗に前記第２の抵抗を並列接続することで前記抵抗値を小さい値にして前記所定電流を大きくし、電池電圧が所定電圧未満の場合は、前記第２のスイッチ素子をオフにして前記第１の抵抗に前記第２の抵抗を並列接続せずに前記抵抗値を大きい値にして前記所定電流を小さくしている。
【００９５】
よって、上記実施の第１の形態と同様の効果を得ることができる。
【００９６】
【発明の効果】
以上説明したように、本発明によれば、簡単な回路構成により、電池電圧に応じた効率的な充電動作を行うと共に、回路の動作保証を行うことができるストロボ装置を提供できるものである。
【図面の簡単な説明】
【図１】本発明の実施の第１の形態に係るカメラ及びストロボ装置の回路構成を示すブロック図である。
【図２】本発明の実施の第１の形態に係るカメラの動作を示すフローチャートである。
【図３】本発明の実施の第１の形態に係る充電動作時のタイミングチャートである。
【図４】本発明の実施の第１の形態に係るカメラの一連の撮影動作を示すフローチャートである。
【図５】本発明の実施の第１の形態に係る充電動作を示すフローチャートである。
【図６】図１のストロボ装置の一部の回路構成を変更した例を示すブロック図である。
【図７】図６の回路構成にした際の充電動作時のタイミングチャートである。
【図８】図９の回路構成にした際の充電動作時のタイミングチャートである。
【図９】図１のストロボ装置の一部の回路構成を変更した適正でない例を示すブロック図である。
【図１０】本発明の実施の第２の形態に係るストロボ装置の回路構成を示すブロック図である。
【図１１】本発明の実施の第２の形態に係る充電動作時のタイミングチャートである。
【図１２】図１０のストロボ装置の一部の回路構成を変更した例を示すブロック図である。
【図１３】従来の電池電圧に応じて変更する充電動作について説明する為のタイミングチャートである。
【図１４】従来のストロボ装置の主要部分の回路構成を示すブロック図である。
【符号の説明】
１０１　電池
１０５　制御ＩＣ
１０６　トランス
１０８　ダイオード
１０９　主コンデンサ
１１２　充電電圧検出回路
１２０　トランジスタ
１２３　抵抗
１２４　抵抗
１２５　ＦＥＴ
１２７　ＦＥＴ
１２８　トランジスタ
１４０　定電圧ダイオード
１５０　バッテリチェック回路
【図１】
2004014329.tif 000003
【図２】
2004014329.tif 000004
【図３】
2004014329.tif 000005
【図４】
2004014329.tif 000006
【図５】
2004014329.tif 000007
【図６】
2004014329.tif 000008
【図７】
2004014329.tif 000009
【図８】
2004014329.tif 000010
【図９】
2004014329.tif 000011
【図１０】
2004014329.tif 000012
【図１１】
2004014329.tif 000013
【図１２】
2004014329.tif 000014
【図１３】
2004014329.tif 000015
【図１４】
2004014329.tif 000016